【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
本管（１）と取付管（２）との接続部の開口（３）を、閉塞板（４）で閉塞すると共に、前記取付管（２）に連通させて、その閉塞板（４）に逆止弁（６）付き接続口（７）を取り付ける工程と、
前記接続口（７）に供給ホース（８）を連結し、本管（１）側から取付管（２）内に充填材を供給する工程と、
次いで、前記供給ホース（８）を接続口（７）から外し、前記逆止弁（６）を取付管（２）内に保持させた状態にして、取付管（２）内の充填材（１６）が本管（１）側に逆流するのを可及的に防止する工程と、を有する不使用取付管の埋設方法。
【請求項２】
請求項１に記載の不使用取付管の埋設方法において、
前記閉塞板（４）は、横断面が本管（１）の内周に整合する弧状に形成され、その中央部に前記逆止弁（６）付き接続口（７）を配置しておき、
前記閉塞板（４）の両面に未硬化の樹脂材（５）を被覆して、それらを補修機の外周に被着し、前記開口（３）の位置で補修機を半径方向に膨張させると共に、前記樹脂材（５）を硬化させて、
前記閉塞板（４）を逆止弁（６）付き接続口（７）と共に前記開口（３）に接続する工程を有する不使用取付管の埋設方法。
【請求項３】
請求項１または請求項２に記載の不使用取付管の埋設方法において、
前記供給ホース（８）内に、そのホース（８）より小径の空気抜きチューブ（９）を挿通し、その空気抜きチューブ（９）の先端側を前記接続口（７）、逆止弁（６）を介して前記取付管（２）内に挿通して、その取付管（２）内の空気を外部に排除しつつ、その取付管（２）内に充填材（１６）を充填する不使用取付管の埋設方法。
【請求項４】
本管（１）と取付管（２）との接続部の開口（３）を閉塞する閉塞板（４）と、
前記取付管（２）に連通させて、その閉塞板（４）に取り付けられている逆止弁（６）付き接続口（７）と、を有し、
前記閉塞板（４）は、横断面が本管（１）の内周に整合する弧状に形成されるとともに、その中央部に孔が設けられており、
前記閉塞板（４）の孔に整合する取付口（１３）が設けられた光または熱により硬化するシート状の樹脂材（５）（５）が、前記閉塞板（４）の両面に被覆されており、
前記逆止弁（６）付き接続口（７）が前記孔および取付口（１３）を貫通した状態で取付けられており、前記接続口（７）の外側に可撓性の補助ホース（１０）が取付けられていると共に、そのホース（１０）の先端に前記逆止弁（６）が配置されていることを特徴とする逆止弁付き閉塞板。
【請求項５】
請求項４に記載の逆止弁付き閉塞板において、
前記逆止弁（６）は二枚のゴム板の対向する両縁が互いに接合されている偏平な筒体であり、その筒体の開口縁が補助ホース（１０）に接合されており、
前記逆止弁（６）は常時は筒体を偏平に押し潰したように付勢され、充填材の流入時にはその押圧力によりその筒体が半径方向外方に拡開し、充填材の流入の停止で偏平に復帰するように構成されていることを特徴とする逆止弁付き閉塞板。
【請求項６】
請求項４または請求項５のいずれかに記載の逆止弁付き閉塞板と不使用取付管との取付構造において、
前記開口（３）に逆止弁（６）を連通させた状態で、前記閉塞板（４）が硬化後のシート状の樹脂材（５）を介して本管（１）の開口（３）に固定されていることを特徴とする逆止弁付き閉塞板の取付構造。
【手続補正２】
【補正対象書類名】明細書
【補正対象項目名】発明の名称
【補正方法】変更
【補正の内容】
【発明の名称】不使用取付管の埋設方法および逆止弁付き閉塞板、並びに逆止弁付き閉塞板の取付構造
【手続補正３】
【補正対象書類名】明細書
【補正対象項目名】０００９
【補正方法】変更
【補正の内容】
【０００９】
請求項４に記載の発明は、本管（１）と取付管（２）との接続部の開口（３）を閉塞する閉塞板（４）と、
前記取付管（２）に連通させて、その閉塞板（４）に取り付けられている逆止弁（６）付き接続口（７）と、を有し、
前記閉塞板（４）は、横断面が本管（１）の内周に整合する弧状に形成されるとともに、その中央部に孔が設けられており、
前記閉塞板（４）の孔に整合する取付口（１３）が設けられた光または熱により硬化するシート状の樹脂材（５）（５）が、前記閉塞板（４）の両面に被覆されており、
前記逆止弁（６）付き接続口（７）が前記孔および取付口（１３）を貫通した状態で取付けられており、前記接続口（７）の外側に可撓性の補助ホース（１０）が取付けられていると共に、そのホース（１０）の先端に前記逆止弁（６）が配置されていることを特徴とする逆止弁付き閉塞板である。
【手続補正４】
【補正対象書類名】明細書
【補正対象項目名】００１０
【補正方法】変更
【補正の内容】
【００１０】
請求項５に記載の発明は、請求項４に記載の逆止弁付き閉塞板において、
前記逆止弁（６）は二枚のゴム板の対向する両縁が互いに接合されている偏平な筒体であり、その筒体の開口縁が補助ホース（１０）に接合されており、
前記逆止弁（６）は常時は筒体を偏平に押し潰したように付勢され、充填材の流入時にはその押圧力によりその筒体が半径方向外方に拡開し、充填材の流入の停止で偏平に復帰するように構成されていることを特徴とする逆止弁付き閉塞板である。
請求項６に記載の発明は、請求項４または請求項５のいずれかに記載の逆止弁付き閉塞板と不使用取付管との取付構造において、
前記開口（３）に逆止弁（６）を連通させた状態で、前記閉塞板（４）が硬化後のシート状の樹脂材（５）を介して本管（１）の開口（３）に固定されていることを特徴とする逆止弁付き閉塞板の取付構造である。
【手続補正５】
【補正対象書類名】明細書
【補正対象項目名】００１４
【補正方法】変更
【補正の内容】
【００１４】
請求項４に記載の発明のように、閉塞板（４）に、接続口（７）と補助ホース（１０）とその先端に前記逆止弁（６）とを配置したので、極めて簡単な構造で安価に、効果の高い逆止弁（６）付き閉塞板（４）を提供できる。それと共に、充填材（１６）を取付管（２）に充填する時には、それを迅速に供給することができる効果がある。
【手続補正６】
【補正対象書類名】明細書
【補正対象項目名】００１５
【補正方法】変更
【補正の内容】
【００１５】
請求項５に記載の発明は、上記構成において、逆止弁（６）が二枚のゴム板の対向する両縁を互いに接合して偏平な筒体とし、その筒体の開口縁を補助ホース（１０）に接合したものであり、その逆止弁（６）は、常時は筒体を直径方向に偏平に押し潰したように付勢され、充填材の流入時にはその押圧力によりその筒体が半径方向外方に拡開し、充填材の流入の停止で偏平に復帰するように構成したものである。
そのため、その逆止弁（６）付き閉塞板（４）をさらに安価に提供すると共に、充填材（１６）の逆止効果の高いものとなる。
請求項６に記載の発明は、上記構成において、開口（３）に逆止弁（６）を連通させた状態で、前記閉塞板（４）が硬化後のシート状の樹脂材（５）を介して本管（１）の開口（３）に固定されているので、樹脂材（５）を硬化させたことにより、取付管（２）の開口部（３）の閉塞と同時に、充填材（１６）の接続口（７）の設置と、逆止弁（６）の取付と、を確実に行うことができる。そのため、不使用取付管の埋設工事を迅速かつ容易に行うことができる取付構造となる。